(57)【要約】【課題】画像読み取り装置の小型化を図ることである。【解決手段】画像読み取り装置１は、本体１２とキャリッジ部１８，２０と撮像素子２４とを有する。本体１２は、原稿Ｇが載置されるガラス１４を有する。キャリッジ部１８，２０は、本体１２内部において、ガラス１４に沿って移動するよう設けられており、二次電池３６と二次電池３６に接続された光源２７とを含んでいる。撮像素子２４は、光源２７が照射し、原稿Ｇによって反射された光が入射するよう設けられている。【選択図】図１
2012049770.tif 000002
【特許請求の範囲】
【請求項１】
原稿が載置される透明板を有する本体と、
前記本体内部において、前記透明板に沿って移動するよう設けられたキャリッジ部であって、二次電池と該二次電池に接続されている光源とを含んでいるキャリッジ部と、
前記光源が照射し、前記原稿によって反射された光が入射するよう設けられている撮像手段と、
を備えていること、
を特徴とする画像読み取り装置。
【請求項２】
前記二次電池を充電する電源部を、
更に備えていること、
を特徴とする請求項１に記載の画像読み取り装置。
【請求項３】
キャリッジ部は、前記二次電池と電気的に接続された第１の端子を、更に含み、
電源部は、第２の端子を更に含み、
前記電源部は、前記キャリッジが前記原稿の読み取り指示を受け付けるまでの間において待機しているときに、前記第１の端子と前記第２の端子とが接触することで、前記二次電池を充電すること、
を特徴とする請求項２に記載の画像読み取り装置。
【請求項４】
前記キャリッジ部は、前記二次電池と前記光源との間の導通状態と非導通状態とを切り替えるスイッチを、更に含んでおり、
前記画像読み取り装置は、
前記本体に設けられ、前記スイッチに接触して、前記二次電池と前記光源との間を導通状態から非導通状態に切り換える作用部と、
を更に備えており、
前記キャリッジ部が前記原稿の読み取りのために移動をする際には、前記作用部が前記スイッチに接触しないことにより、前記二次電池から前記光源へ電力が供給されること、
を特徴とする請求項１ないし請求項３のいずれかに記載の画像読み取り装置。
【請求項５】
前記画像読み取り装置は、
前記キャリッジ部の位置に基づいて、前記二次電池から前記光源に電力を供給するか否かを判定する制御部と、
前記制御部の判定に基づく指示信号を送信する送信部と、
を更に備えており、
前記キャリッジ部は、前記指示信号を受信すると共に、該指示信号に基づいて、前記二次電池と前記光源との間の導通状態と非導通状態とを切り替えるスイッチ部を、更に含んでいること、
を特徴とする請求項１に記載の画像読み取り装置。
【請求項６】
前記撮像手段は、前記キャリッジ部に設けられていること、
を特徴とする請求項１ないし請求項５に記載の画像読み取り装置。
【発明の詳細な説明】
【技術分野】
【０００１】
本発明は、画像読み取り装置に関し、より特定的には、小型化を図ることができる画像読み取り装置に関する。
【背景技術】
【０００２】
従来の画像読み取り装置としては、例えば、以下に説明する画像読み取り装置が知られている。図５は、該従来の画像読み取り装置５００の側面図である。図５において、画像読み取り装置５００の第１のキャリッジ５０７が移動する方向をｘ軸方向、鉛直方向をｚ軸方向とし、ｘ軸方向及びｚ軸方向に直交している方向をｙ軸方向と定義する。ここで、ｘ軸方向とｙ軸方向とｚ軸方向とは、互いに直交している。
【０００３】
図５の画像読み取り装置５００は、本体５０２、コンタクトガラス５０３、第１のキャリッジ５０７、第２のキャリッジ５１０、レンズユニット５１１、ＣＣＤ５１２及びケーブル５２０を備えている。
【０００４】
本体５０２は、直方体状の箱体であり、ｚ軸方向の正方向側に開口を有している。コンタクトガラス５０３は、本体５０２のｚ軸方向の正方向側の開口に設けられている。コンタクトガラス５０３上には、原稿Ｐが載置される。第１のキャリッジ５０７は、本体５０２の内部であって、コンタクトガラス５０３のｚ軸方向の負方向側に設けられ、ｘ軸方向に移動する。第１のキャリッジ５０７は、光源５０５及び第１のミラー５０６を含んでいる。光源５０５は、原稿Ｐに光を照射する。第１のミラー５０６は、光源５０５が原稿Ｐに照射し、原稿Ｐから反射された光をｘ軸方向の負方向側へ反射する。
【０００５】
第２のキャリッジ５１０は、第１のキャリッジ５０７よりもｘ軸方向の負方向側に位置しており、ｘ軸方向に移動する。第２のキャリッジ５１０は、第２のミラー５０８及び第３のミラー５０９を含んでいる。第２のミラー５０８は、第１のミラー５０６によって反射された光をｚ軸方向の負方向側へ反射する。第３のミラー５０９は、第２のミラー５０８のｚ軸方向の負方向側に位置し、第２のミラー５０８によって反射された光をｘ軸方向の正方向側へ反射する。
【０００６】
レンズユニット５１１は、第２のキャリッジ５１０のｘ軸方向の正方向側に位置している。レンズユニット５１１は、本体５０２の内部に設けられたレンズであり、第３のミラー５０９によって反射されてきた光をＣＣＤ５１２に集光する。ＣＣＤ５１２は、レンズユニット５１１により集光された光を受光して電気信号に変換する。ケーブル５２０は、光源５０５に電力を供給し、第１のキャリッジ５０７から引き出されて、本体５０２内において、ｘ軸方向に延在している。
【０００７】
第１のキャリッジ５０７は、原稿Ｐが読み取られているときには、図５に示すように、コンタクトガラス５０３のｚ軸方向の負方向側の面に沿って、モータ、ベルト及びプーリー等の移動手段により、ｘ軸方向の正方向側に向かって速度Ｖで移動させられる。第２のキャリッジ５１０は、原稿Ｐが読み取られているときには、図５に示すように、コンタクトガラス５０３のｚ軸方向の負方向側の面に沿って、モータ、ベルト及びプーリー等の移動手段により、ｘ軸方向の正方向側に向かって速度Ｖ／２で移動させられる。これにより、移動中における原稿ＰとＣＣＤ５１２との間の光の経路の長さが一定となる。
【０００８】
ところで、近年、画像読み取り装置５００を小型化したいという要望がある。しかしながら、画像読み取り装置５００では、ケーブル５２０を配置するスペースが必要となるので、小型化が困難となっている。
【０００９】
なお、画像読み取り装置としては、例えば、特許文献１に記載の画像読み取り装置が知られている。特許文献１に記載の画像読み取り装置では、光源から照射された光を受光し、そのエネルギを電力に変換する太陽電池が設けられている。太陽電池によって得られた電力は、画像読み取り装置の起動時等に適宜使用されるため、省エネルギ化を図ることができる。
【００１０】
しかしながら、太陽電池では、光源から照射された光の一部を光電エネルギ変換して電力を取り出すため、太陽電池からは、光源が光を照射するための電力を賄うことはできない。よって、光源への電力の供給を行うため、本体内の光源には、ケーブルが接続されている。そのため、特許文献１における画像読み取り装置においても、小型化が困難である。
【先行技術文献】
【特許文献】
【００１１】
【特許文献１】特開２００８−２２８２７０号公報
【発明の概要】
【発明が解決しようとする課題】
【００１２】
そこで、本発明の目的は、画像読み取り装置の小型化を図ることである。
【課題を解決するための手段】
【００１３】
本発明の一形態に係る画像読み取り装置は、原稿が載置される透明板を有する本体と、前記本体内部において、前記透明板に沿って移動するよう設けられたキャリッジ部であって、二次電池と該二次電池に接続されている光源とを含んでいるキャリッジ部と、前記光源が照射し、前記原稿によって反射された光が入射するよう設けられている撮像手段と、を備えていること、を特徴とする。
【発明の効果】
【００１４】
本発明によれば、画像読み取り装置の小型化を図ることができる。
【図面の簡単な説明】
【００１５】
【図１】画像読み取り装置の側面図である。
【図２】画像読み取り装置の平面図である。
【図３】図３（ａ）は、画像読み取り装置において、二次電池の充電が行われ、かつ、二次電池から光源へ電力が供給されている状態を表している。図３（ｂ）は、画像読み取り装置において、二次電池の充電が行われ、二次電池から光源へ電力が供給されていない状態を表している。図３（ｃ）は、画像読み取り装置において、二次電池の充電が行われておらず、二次電池から光源へ電力が供給されている状態を表している。図３（ｄ）は、画像読み取り装置において、二次電池の充電が行われておらず、二次電池から光源へ電力が供給されていない状態を表している。
【図４】変形例に係る画像読み取り装置の平面図である。
【図５】従来の画像読み取り装置の側面図である。
【発明を実施するための形態】
【００１６】
以下に、本発明の一実施形態に係る画像読み取り装置について図面を参照しながら説明する。
【００１７】
（画像読み取り装置の構成）
以下に、本発明の実施形態に係る画像読み取り装置について図面を参照しながら説明する。図１は、画像読み取り装置１の側面図である。図２は、画像読み取り装置１の平面図である。図３（ａ）は、画像読み取り装置１において、二次電池３６の充電が行われ、かつ、二次電池３６から光源２７へ電力が供給されている状態を表した図である。図３（ｂ）は、画像読み取り装置１において、二次電池３６の充電が行われ、二次電池３６から光源２７へ電力が供給されていない状態を表した図である。図３（ｃ）は、画像読み取り装置１において、二次電池３６の充電が行われておらず、二次電池３６から光源２７へ電力が供給されている状態を表した図である。図３（ｄ）は、画像読み取り装置１において、二次電池３６の充電が行われておらず、二次電池３６から光源２７へ電力が供給されていない状態を表した図である。
【００１８】
ここで、図１において、画像読み取り装置１の第１のキャリッジ１８の移動方向をｘ軸方向、鉛直方向をｚ軸方向とし、ｘ軸方向及びｚ軸方向に直交している方向をｙ軸方向と定義する。ｘ軸方向とｙ軸方向とｚ軸方向とは、互いに直交している。
【００１９】
画像読み取り装置１は、図１ないし図３に示すように、本体１２、ガラス１４、第１のキャリッジ１８、第２のキャリッジ２０、レンズ２２、撮像素子２４、白基準板２６、電源部３３（図２参照）、駆動部４３（図２参照）及び作用部５６ａ，５６ｂ（図２参照）を備えている。
【００２０】
本体１２は、直方体状の箱体であり、ｚ軸方向の正方向側に開口を有している。本体１２は、ガラス１４、第１のキャリッジ１８、第２のキャリッジ２０、レンズ２２、撮像素子２４、白基準板２６、電源部３３、駆動部４３及び作用部５６ａ，５６ｂが取り付けられている。
【００２１】
ガラス１４は、本体１２のｚ軸方向の正方向側の開口に設けられ、原稿Ｇが載置される透明板である。ガラス１４は、ｚ軸方向の正方向側の面（以下、上面Ａ１と称す）及びｚ軸方向の負方向側の面（以下、下面Ａ２と称す）を有している。原稿Ｇは、ガラス１４の上面Ａ１に、読み取り面をｚ軸方向の負方向側に向けた状態で載置される。
【００２２】
図１ないし図３に示すように、第１のキャリッジ１８は、本体１２の内部であって、ガラス１４のｚ軸方向の負方向側に設けられ、ｘ軸方向に移動する。第１のキャリッジ１８は、光源２７ａ，２７ｂ、第１のミラー２９、二次電池３６、キャリッジ側端子４２（図２及び図３参照）及びスイッチ５４（図２及び図３参照）を含んでいる。
【００２３】
光源２７ａ，２７ｂは、例えば、ｙ軸方向に延在している蛍光管により構成されており、原稿面に光Ｂを照射する。光源２７ａは、光源２７ｂよりもｘ軸方向の正方向側に設けられている。原稿Ｇには、光源２７ａ，２７ｂによって、２方向より光Ｂが照射されるため、読み取った画像に影ができない。
【００２４】
第１のミラー２９は、図１に示すように、光源２７によって原稿Ｇに照射された光Ｂであって、原稿Ｇから反射された光Ｂをｘ軸方向の負方向側へ反射する。二次電池３６、キャリッジ端子４２及びスイッチ５４については、後述する。
【００２５】
第２のキャリッジ２０は、第１のキャリッジ１８よりもｘ軸方向の負方向側に位置しており、ｘ軸方向に移動する。第２のキャリッジ２０は、第２のミラー３０及び第３のミラー３１を含んでいる。第２のミラー３０は、第１のミラー２９によって反射された光Ｂをｚ軸方向の負方向側へ反射する。第３のミラー３１は、第２のミラーのｚ軸方向の負方向側に位置し、第２のミラー３０によって反射された光Ｂをｘ軸方向の正方向側へ反射する。
【００２６】
レンズ２２は、第２のキャリッジ２０のｘ軸方向の正方向側に位置している。レンズ２２は、第３のミラー３１によって反射されてきた光Ｂによって得られる光学像を撮像素子２４に結像させる。
【００２７】
撮像素子２４は、光源２７が照射し、原稿Ｇで反射された光Ｂを受光する受光素子である。具体的には、撮像素子２４は、ｙ軸方向に延在している一次元状の撮像領域を有し、レンズ２２によって結像された光学像を走査して原稿Ｇの像を読み取るＣＣＤのライセンサである。
【００２８】
白基準板２６は、図１及び図２に示すように、待機位置にある第１のキャリッジ１８の光源２７が放射した光Ｂを反射する反射部材である。白基準板２６は、白色の板であり、図１に示すように、ガラス１４の上面Ａ１であって、ｘ軸方向の負方向側の短辺に沿ってｙ軸方向に延在している。白基準板２６において反射した光Ｂは、原稿Ｇにおいて反射した光Ｂと同様に、第１のミラー２９、第２のミラー３０及び第３のミラー３１により反射される。そして、白基準板２６において反射した光Ｂは、例えば、原稿Ｇの読み取りの際に、白の基準となるデータを生成するのに用いられる。なお、待機位置とは、画像読み取り装置１の動作中において、原稿Ｇの読み取り指示を制御部（図示せず）が受け付けるまでの間に、第１のキャリッジ１８が待機する位置であり、図１において、白基準板２６のｚ軸方向の負方向側の場所である。
【００２９】
駆動部４３は、図２に示すように、モータ４４、ギア４５ａ，４５ｂ、ベルト４６、駆動軸４８ａ，４８ｂ、駆動ワイヤ５０ａ，５０ｂ及びプーリー５１ａ，５１ｂ，５２ａ，５２ｂを含んでいる。モータ４４は、電源部３３からの電力の供給を受けて駆動する。ギア４５ａは、モータ４４の駆動軸の先端に取り付けられているピニオンギアである。駆動軸４８ａ，４８ｂは、それぞれ本体１２内のｘ軸方向の正方向側の端部及び負方向側の端部において、ｙ軸方向に延在している。ギア４５ｂは、駆動軸４８ａのｙ軸方向の正方向側の端部に取り付けられている。ベルト４６は、ギア４５ａ，４５ｂに対して巻きつけられている。
【００３０】
更に、プーリー５１ａ，５１ｂはそれぞれ、駆動軸４８ａの両端近傍に取り付けられている。また、プーリー５２ａ，５２ｂはそれぞれ、駆動軸４８ｂの両端近傍に取り付けられている。
【００３１】
駆動ワイヤ５０ａは、本体１２のｙ軸方向の正方向側の端部においてｘ軸方向に延在しており、プーリー５１ａ，５２ａに巻きつけられている。駆動ワイヤ５０ｂは、本体１２のｙ軸方向の負方向側の端部においてｘ軸方向に延在しており、プーリー５１ｂ，５２ｂに巻きつけられている。なお、駆動ワイヤ５０ａ，５０ｂは、第１のキャリッジ１８が速度Ｖ、第２のキャリッジ２０が速度Ｖ／２でそれぞれ本体１２内をｘ軸方向に平行に移動するよう、プーリー５１ａ，５２ａ，５１ｂ，５２ｂ、並びに、第１のキャリッジ１８及び第２のキャリッジに設けられているプーリー（図示せず）に巻きつけられている。ただし、駆動ワイヤ５０ａ，５０ｂの巻きつけ方については、一般的であるので、説明を省略する。
【００３２】
作用部５６ａ，５６ｂは、図２に示すように、本体１２のｙ軸方向の正方向側の内周面に設けられている突起であり、後述するスイッチ５４のオンとオフとを切り換える役割を果たしている。作用部５６ａは、図２に示すように、ｘ軸方向において、白基準板２６とプラテンガラス５８との間（すなわち、待機位置）に位置している。作用部５６ｂは、プラテンガラス５８のｘ軸方向の負方向側に位置している。
【００３３】
次に、二次電池３６、キャリッジ側端子４２及びスイッチ５４について説明する。二次電池３６には、図３に示すように、光源２７ａ，２７ｂが配線を介して直列に接続されている。これにより、二次電池３６は、光源２７ａ，２７ｂに電力を供給する。また、二次電池３６は、電力の供給を受けて蓄電することができる。
【００３４】
キャリッジ側端子４２は、図３に示すように、二次電池３６と電気的に接続されており、第１のキャリッジ１８のｙ軸方向の正方向側の端部において第１のキャリッジ１８から露出している。
【００３５】
スイッチ５４は、オン状態とオフ状態とに切り換わることにより、二次電池３６と光源２７との間の導通状態と非導通状態とを切り換える回路素子であり、光源２７ｂと二次電池３６とを接続する配線の途中に設けられている。より詳細には、スイッチ５４は、図３に示すように、線路部５４ａ及びレバー５４ｂを有している。線路部５４ａは、二次電池３６と光源２７との間が導通状態であるときに、二次電池３６と光源２７との間の配線の一部を構成する。レバー５４ｂは、通常では、図示しないばねなどによりｙ軸方向の正方向側に付勢されており、第１のキャリッジ１８のｙ軸方向の正方向側の側面から第１のキャリッジ１８外へと突出している。この状態では、図３（ａ）に示すように、二次電池３６と光源２７とは導通状態である。そして、図３（ｂ）及び図３（ｄ）に示すように、レバー５４ｂが作用部５６ａ，５６ｂによりｙ軸方向の負方向側に押されると（作用部５６ａ，５６ｂがレバー５４ｂに接触すると）、二次電池３６と光源２７との間の配線と、線路部５４ａとが離れて、二次電池３６と光源２７との間が導通状態から非導通状態に切り換わる。
【００３６】
電源部３３は、電源回路３４、ケーブル３８及び給電用端子４０を含んでおり、画像読み取り装置１外から電力の供給を受けて二次電池３６を充電する役割を果たす。電源回路３４は、画像読み取り装置１外の電源に電気的に接続されており、電流や電圧を適切な値に変換するインバーター回路等である。給電用端子４０は、本体１２のｙ軸方向の正方向側の内周面において、作用部５６ａのｘ軸方向の正方向側に隣接するように設けられており、ケーブル３８を介して電源３４と電気的に接続されている。
【００３７】
以上のような電源部３３は、図３（ａ）及び図３（ｂ）に示すように、給電用端子４０とキャリッジ側端子４２とが接触することで、二次電池３６を充電する。
【００３８】
（画像読み取り装置の動作）
以下に、本発明の実施形態に係る画像読み取り装置１の動作について図３を参照しながら説明する。画像読み取り装置１は、第１の原稿読み取り状態、待機状態、第２の原稿読み取り状態及び梱包状態の４つの状態を取ることができる。以下に、各状態の詳細について説明する。
【００３９】
第１の原稿読み取り状態は、ＡＤＦ（Ａｕｔｏ  Ｄｏｃｕｍｅｎｔ  Ｆｅｅｄｅｒ）によりプラテンガラス５８上に載置されている原稿Ｇを読み取る状態である。したがって、第１の原稿読取状態では、第１のキャリッジ１８は、プラテンガラス５８のｚ軸方向の負方向側に停止し、光源２７ａ，２７ｂにより原稿Ｇに対して光を照射する。このとき、図３（ａ）に示すように、光源２７ａ，２７ｂに対する電力の供給が必要となるので、スイッチ５４は、オン状態となる。すなわち、スイッチ５４のレバー５４ｂが作用部５６ａ，５６ｂに押されていない。これにより、二次電池３６は、光源２７ａ，２７ｂに対して電力を供給する。
【００４０】
ところで、第１の原稿読み取り状態では、第１のキャリッジ１８が停止している。したがって、給電用端子４０とキャリッジ側端子４２との接触状態を維持することが可能である。そこで、第１の原稿読み取り状態では、給電用端子４０とキャリッジ側端子４２とが接触することにより、二次電池３６は、電源部３３から電力の供給を受けて充電されている。ただし、第１の原稿読み取り状態において、二次電池３６の充電は必ずしも必須ではない。したがって、第１の原稿読み取り状態において、給電用端子４０とキャリッジ側端子４２とは必ずしも接触していなくてもよい。
【００４１】
次に、待機状態について説明する。待機状態は、画像読み取り装置１の動作中において、原稿Ｇの読み取り指示を制御部（図示せず）が受け付けるまでの間に、第１のキャリッジ１８が待機している状態である。したがって、待機状態では、第１のキャリッジ１８は、白基準板２６のｚ軸方向の負方向側に停止しており、光源２７ａ，２７ｂにより原稿Ｇに対して光を照射しない。このとき、図３（ｂ）に示すように、光源２７ａ，２７ｂに対する電力の供給は不要なので、スイッチ５４は、オフ状態となる。すなわち、スイッチ５４のレバー５４ｂが作用部５６ａにより押されている。これにより、二次電池３６は、光源２７ａ，２７ｂに対して電力を供給しない。
【００４２】
ところで、待機状態では、第１のキャリッジ１８が停止している。したがって、給電用端子４０とキャリッジ側端子４２との接触状態を維持することが可能である。そこで、待機状態では、給電用端子４０とキャリッジ側端子４２とが接触することにより、二次電池３６は、電源部３３から電力の供給を受けて充電されている。
【００４３】
第２の読み取り状態は、ガラス１４上に載置されている原稿Ｇを読み取る状態である。したがって、第２の原稿読み取り状態では、第１のキャリッジ１８は、ガラス１４のｚ軸方向の負方向側をｘ軸方向に移動し、光源２７ａ，２７ｂにより原稿Ｇに対して光を照射する。このとき、図３（ｃ）に示すように、光源２７ａ，２７ｂに対する電力の供給が必要となるので、スイッチ５４は、オン状態となる。すなわち、作用部５６ａ，５６ｂがスイッチ５４に接触しておらず、スイッチ５４のレバー５４ｂが作用部５６ａ，５６ｂにより押されていない。これにより、二次電池３６は、光源２７ａ，２７ｂに対して電力を供給する。
【００４４】
ところで、第２の原稿読み取り状態では、第１のキャリッジ１８が移動している。したがって、給電用端子４０とキャリッジ側端子４２との接触状態を維持することができない。そこで、第２の原稿読み取り状態では、給電用端子４０とキャリッジ側端子４２とが接触していないので、二次電池３６は、電源部３３から電力の供給を受けず、充電されない。
【００４５】
梱包状態は、画像形成装置１が運搬用の箱等に梱包されている状態である。梱包状態では、第１のキャリッジ１８は、待機位置よりもｘ軸方向の負方向側に停止し、光源２７ａ，２７ｂから原稿Ｇに対して光は照射されない。このとき、図３（ｄ）に示すように、光源２７ａ，２７ｂに対する電力の供給は不要なので、スイッチ５４は、オフ状態となる。すなわち、スイッチ５４のレバー５４ｂが作用部５６ｂにより押されている。これにより、二次電池３６は、光源２７ａ，２７ｂに対して電力を供給しない。
【００４６】
また、梱包状態では、第１のキャリッジ１８が待機位置よりもｘ軸方向の負方向側に停止している。したがって、給電用端子４０とキャリッジ側端子４２とは接触しない。よって、二次電池３６は、電源部３３から電力の供給を受けず、充電されない。
【００４７】
（効果）
以下に説明するように、画像読み取り装置１では、小型化を図ることができる。
【００４８】
図５に示す従来の画像読み取り装置５００では、ケーブル５２０は、光源５０５に電力を供給するために、第１のキャリッジ５０７から引き出され、本体５０２内において、延在している。そのため、ケーブル５２０を配置するためのスペースが必要であり、画像読み取り装置５００の小型化が困難となっている。
【００４９】
一方、画像読み取り装置１では、図１及び図２に示すように、光源２７と電源回路３４とは、ケーブルによって接続されていない。そのため、本体１２内にケーブルを配置するためのスペースが不要となるので、画像読み取り装置１の小型化を図ることが可能となる。
【００５０】
また、従来の画像読み取り装置５００のように、ケーブル５２０が設けられていると、第１のキャリッジ５０７の動きがケーブル５２０により妨げられる。よって、第１のキャリッジ５０７の動きを妨げない硬さ、長さ、摺動性を有するケーブルを設計する必要があった。しかしながら、画像読み取り装置１では、光源２７と電源回路３４とを接続するケーブルが設けられていないため、ケーブルの設計が不要となる。
【００５１】
本実施形態に係る画像読み取り装置１によれば、電源部３３への負荷を小さくすることができる。より詳細には、複合機のコピー時には、印刷動作、キャリッジの移動及び光源の点灯が同時に行われるため、電源部は、印刷動作、キャリッジの移動及び光源の点灯のための電力を供給する必要がある。そのため、電源部には大きな負荷がかかる。これに対して、画像読み取り装置１が設けられている複合機のコピー時には、図３（ｃ）に示すように、光源２７は、予め充電された二次電池３６から電力の供給を受ける。そのため、電源部３３は、印刷動作及びキャリッジの移動に必要な電力のみを供給すればよい。これにより、画像読み取り装置１では、電源部３３への負担を軽減することが可能となる。
【００５２】
また、原稿Ｇを読み取る際、第１のキャリッジ１８は、本体１２内をｘ軸方向に平行移動するが、その際、給電用端子４０及びキャリッジ側端子４２は、接触しない。そのため、画像読み取り時に、画像品質に影響を与える振動が画像読み取り装置１へ加えられることはない。
【００５３】
（変形例）
以下に、画像読み取り装置１の変形例について説明する。図４は、変形例に係る画像読み取り装置１ａの平面図である。
【００５４】
図４に示すように、画像読み取り装置１ａでは、第１のキャリッジ１８に、画像読み取り装置１のスイッチ５４の代わりに、キャリッジ基板８０が設けられている。更に、画像読み取り装置１ａでは、無線送信部８５及び制御部８８が設けられている。
【００５５】
制御部８８は、第１のキャリッジ部１８の位置に基づいて、二次電池３６から光源２７ａ，２７ｂに電力を供給するか否かを判定する。送信部８５は、制御部８８の判定に基づく指示信号を無線により送信する。キャリッジ基板８０は、指示信号を受信すると共に、該指示信号に基づいて、二次電池３６と光源２７ａ，２７ｂとの間の導通状態と非導通状態とを切り替える。これにより、スイッチ５４及び作用部５６ａ，５６ｂが不要となる。
【００５６】
なお、レンズ２２及び撮像素子２４は、第１のキャリッジ１８に搭載されていてもよい。この場合、第２のキャリッジ２０は、不要となる。
【００５７】
また、画像読み取り装置１では、原稿Ｇが読み取られる前の初期動作として、制御部（図示せず）は、白基準板２６を読み込み、二次電池３６の残量が所定量よりも少なくなっているか否かを判定する。二次電池３６の残量が所定量よりも少なくなっていると判断された場合には、制御部は、第１のキャリッジ１８を図３（ｂ）に示す待機位置に移動させ、電源部３３に二次電池３６を充電させた後に、図３（ｃ）のように原稿Ｇの読み取りを再開する。これにより、原稿Ｇを読み込む際に、二次電池３６の残量不足の発生が防止される。
【産業上の利用可能性】
【００５８】
以上のように、本発明は、画像読み取り装置に有用であり、特に、小型化を図ることできる点において優れている。
【符号の説明】
【００５９】
Ａ１  上面
Ａ２  下面
Ｂ  光
Ｇ  原稿
１  画像読み取り装置
１２  本体
１４  ガラス
１８  第１のキャリッジ
２０  第２のキャリッジ
２２  レンズ
２４  撮像素子
２６  白基準板
２７ａ，２７ｂ  光源
２９  第１のミラー
３０  第２のミラー
３１  第３のミラー
３３  電源部
３４  電源回路
３６  二次電池
３８  ケーブル
４０  給電用端子
４２  キャリッジ側端子
４３  駆動部
５４  スイッチ
５６ａ，５６ｂ  作用部
５８  プラテンガラス
８０  キャリッジ基板
８５  無線送信部
８８  制御部
【図１】
2012049770.tif 000003
【図２】
2012049770.tif 000004
【図３】
2012049770.tif 000005
【図４】
2012049770.tif 000006
【図５】
2012049770.tif 000007